(57)【特許請求の範囲】
【請求項１】
鼻当てとして知られる２つの鼻支持要素（３）と、
各鼻当て（３）ごとに、鼻当て保持器として知られる前記鼻当て用の装着要素（２）であって、めがねフレームに結合するためのアーム（２０）を含む装着要素（２）と、を含む、めがねフレーム（７）用の鼻支持部アセンブリであって、
各鼻当て（３）及び対応する前記鼻当て保持器（２）は、相互に結合するための結合手段（１）を有し、前記結合手段は、前記鼻当て（３）が前記鼻当て保持器（２）に対して角度的に動き得るように設計され、
前記鼻当て（３）及び前記鼻当て保持器（２）の間の前記結合手段は、オス型要素（２１）と、前記オス型要素を受け入れるための受け入れ収納部を形成するメス型要素とを含み、
前記オス型要素（２１）及び前記受け入れ収納部の一方が前記鼻当て（３）によって担持され、もう一方が前記鼻当て保持器（２）によって担持され、
前記オス型要素（２１）には、Ｚ軸として知られる軸に基本的に沿って延びるストッパ手段（１０）であって、前記Ｚ軸として知られる軸は、Ｘ軸として知られる軸にほぼ直角であり、前記Ｘ軸として知られる軸は、前記鼻当て（３）の鼻支持面（３０２）に対する法線に平行であると共に、Ｙ軸として知られる軸に直角であり、前記Ｙ軸として知られる軸は、主軸であって前記鼻当て保持器（２）の前記アーム（２０）がそれに沿って延びる主軸に平行である、ストッパ手段（１０）が設けられ、
前記オス型要素（２１）の前記ストッパ手段（１０）が、前記鼻当て保持器（２）に対する前記鼻当て（３）の前記Ｚ軸の回りの角度的な動きを制限するように設計される、鼻支持部アセンブリ。
【請求項２】
ボール（２１）として知られる前記オス型要素が、弯曲表面を備える、ことを特徴とする請求項１に記載のアセンブリ。
【請求項３】
前記オス型要素が、少なくとも部分的に球形の全体形状を有する、ことを特徴とする請求項２に記載のアセンブリ。
【請求項４】
前記オス型要素（２１）に設けられる前記ストッパ手段（１０）が複数の別個の部品から形成され、前記複数の別個の部品は、前記部品の組を包摂する想像上の包絡面が主に前記Ｚ軸に沿って延びるように分配される、ことを特徴とする請求項１〜３のいずれか一項に記載のアセンブリ。
【請求項５】
前記オス型要素（２１）の前記ストッパ手段（１０）が、前記鼻当て保持器（２）に対する前記鼻当て（３）の前記Ｚ軸の回りの角度的な動きを、４５°の動きの範囲内に制限するように設計される、ことを特徴とする請求項１〜４のいずれか一項に記載のアセンブリ。
【請求項６】
前記オス型要素（２１）の前記ストッパ手段（１０）が、さらに、前記鼻当て保持器（２）に対する前記鼻当て（３）の前記Ｙ軸の回りの角度的な動きを制限するように設計される、ことを特徴とする請求項５に記載のアセンブリ。
【請求項７】
前記オス型要素（２１）の前記ストッパ手段（１０）が、さらに、前記鼻当て保持器（２）に対する前記鼻当て（３）の前記Ｙ軸の回りの角度的な動きを、４５°の動きの範囲内に制限するように設計される、ことを特徴とする請求項６に記載のアセンブリ。
【請求項８】
前記オス型要素（２１）の前記ストッパ手段（１０）が、さらに、前記鼻当て保持器（２）に対する前記鼻当て（３）の前記Ｘ軸の回りの角度的な動きを制限するように設計される、ことを特徴とする請求項４〜７のいずれか一項に記載のアセンブリ。
【請求項９】
前記オス型要素（２１）の前記ストッパ手段（１０）が、さらに、前記鼻当て保持器（２）に対する前記鼻当て（３）の前記Ｘ軸の回りの角度的な動きを、１５°の動きの範囲内に制限するように設計される、ことを特徴とする請求項８に記載のアセンブリ。
【請求項１０】
前記オス型要素（２１）の前記ストッパ手段（１０）が、前記鼻当て保持器（２）に対する前記鼻当て（３）の前記Ｘ軸の回りの角度的な動きを防止するように設計される、ことを特徴とする請求項４〜７のいずれか一項に記載のアセンブリ。
【請求項１１】
前記オス型要素（２１）の前記ストッパ手段（１０）が、前記オス型要素（２１）のどちらかの側において、直径より長い、又は、前記オス型要素（２１）のＺ軸に沿うサイズより長い長さを有する、ことを特徴とする請求項１〜１０のいずれか一項に記載のアセンブリ。
【請求項１２】
前記オス型要素（２１）の前記ストッパ手段（１０）が、主にＺ軸に沿って延びる２つの両側の面であって、両側のストッパ面を形成する２つの両側の面を有し、前記両側のストッパ面の一方は、前記鼻当て保持器（２）に対する前記鼻当て（３）の前記Ｚ軸の回りの一方の方向の相対的動きを制限し、もう一方の前記ストッパ面は、前記鼻当て保持器（２）に対する前記鼻当て（３）の前記Ｚ軸の回りのもう一方の方向の相対的動きを制限する、ことを特徴とする請求項１〜１１のいずれか一項に記載のアセンブリ。
【請求項１３】
前記ボール（２１）の前記ストッパ手段（１０）が、扇形筒体の全体的形状を有する部分を含み、前記扇形筒体の部分は、前記ボールが内接する球のほぼ中心を通る軸を有すると共に、前記ボールから突き出ている、ことを特徴とする、請求項２、又は、請求項２に従属する請求項３〜９のいずれか一項に記載のアセンブリ。
【請求項１４】
前記オス型要素（２１）が前記鼻当て保持器（２）に設けられ、前記受け入れ収納部は前記鼻当て（３）に設けられる、ことを特徴とする請求項１〜１３のいずれか一項に記載のアセンブリ。
【請求項１５】
前記受け入れ収納部が、前記鼻支持面（３０２）の反対側の前記鼻当て（３）の面に設けられると共に、前記鼻当て保持器（２）の前記アーム（２０）の一部分を挿入するための、前記Ｙ軸にほぼ平行な軸を有する第一の溝（３５）を備えている、ことを特徴とする請求項１４に記載のアセンブリ。
【請求項１６】
前記受け入れ収納部が、前記鼻支持面（３０２）の反対側の前記鼻当て（３）の面に設けられると共に、前記受け入れ収納部の浮き彫り形態の部分（３４、３０）が、前記オス型要素（２１）の前記ストッパ手段（１０）に補完的なストッパを形成できるように、前記Ｚ軸にほぼ平行な軸を有する第二の溝（３６）を備えている、ことを特徴とする請求項１５に記載のアセンブリ。
【請求項１７】
前記鼻当て（３）が、前記鼻支持面（３０２）と反対側の、背面として知られる鼻当ての面の側に、前記鼻当ての前記背面（３０４）と共に前記受け入れ収納部を画定するアーチ（４０）の形態の部分を有することと、
前記オス型要素（２１）の前記ストッパ手段（１０）を、前記鼻当て保持器（２）に対する前記鼻当て（３）の前記Ｙ軸の回りの相対的な動きの間にガイドできるように、Ｚ軸にほぼ平行な方向において前記アーチ（４０）の一部分内に貫通溝（４３）が設けられ、前記貫通溝（４３）は、前記オス型要素（２１）の前記ストッパ手段（１０）より長い長さを有することと、を特徴とする請求項１〜１６のいずれか一項に記載のアセンブリ。
【請求項１８】
各鼻当て（３）が、嵌め込み部分として知られる部分であって、前記オス型要素（２１）を前記受け入れ収納部の中に圧力嵌めするための弾性変形可能な材料からなる部分と、
鼻支持部として知られ、めがね装着者の鼻の片面に載るように想定される部分であって、前記嵌め込み部分より低い硬度の材料からなる部分と、
を含む、ことを特徴とする請求項１〜１７のいずれか一項に記載のアセンブリ。
【請求項１９】
前記弾性変形可能な材料は、ポリカーボネートである、ことを特徴とする請求項１8に記載のアセンブリ。
【請求項２０】
各鼻当て（３）の前記鼻支持面（３０２）が直線の上部部分（３００）と、前記直線の上部部分を延長する弯曲した下部部分（３０１）とを含む、ことを特徴とする請求項１〜１９のいずれか一項に記載のアセンブリ。
【請求項２１】
２つのレンズ位置（７１）と、前記２つのレンズ位置（７１）を結合するフレームの鼻部品（７０）とを含む正面を有するめがねフレーム（７）であって、鼻当てとして知られる２つの鼻支持要素と、各鼻当てごとに、前記フレームの鼻部品（７０）に固定される前記鼻当て用の装着要素とを有する鼻支持部アセンブリをもさらに備えためがねフレーム（７）において、
前記鼻支持部アセンブリが請求項１〜２０のいずれか一項に記載のアセンブリである、ことを特徴とするめがねフレーム（７）。
【請求項２２】
前記結合手段（１）が、各鼻当て（３）が、前記めがねフレーム（７）の正面に垂直な軸と、１°から４５°の間の角度で変動し得る広がり角度（Ｂ）を形成できるように設計される、ことを特徴とする請求項２１に記載のめがねフレーム。
【請求項２３】
前記結合手段（１）が、各鼻当て（３）が、前記めがねフレーム（７）の垂直な対称軸（Ｓ）と、１０°から５０°の間の角度で変動し得る正面角度（Ａ）を形成できるように設計される、ことを特徴とする請求項２１又は２２に記載のめがねフレーム。
【発明の詳細な説明】
【技術分野】
【０００１】
本発明は、全体として、めがねフレーム用の鼻当てを含む鼻支持部アセンブリと、対応する装着要素とに関する。
【背景技術】
【０００２】
光学用又は日除け用の、金属及び／又はプラスチック材料製の全縁付き又は半縁付きフレームと、さらに縁なしフレームとして知られるフレームとは、フレームの鼻部品として知られる部分を有し、このフレームの鼻部品は、２つのレンズ位置を結合すると共に、鼻当て保持器に固定される鼻当てであって装着者の鼻の両側に載るように想定される２つの鼻当てを備えている。
【０００３】
装着者の鼻の形状に応じて、特に平坦な鼻の装着者の場合に、鼻当ての方位が装着者の鼻に的確に適合せず、その結果、その鼻当てが、期待される快適な支持の感触を装着者にもたらさないことがあり得る。
【０００４】
特許文献の仏国特許第１１６７０４５号明細書、国際公開第２００７／０３４５２０号パンフレット、国際公開第２０１０／０５７８８３号パンフレット、独国実用新案第８８１５４８９号明細書、米国特許第４６８１４１１号明細書、仏国特許第２８６１１８９号明細書、欧州特許第０１７９１８７号明細書、及び米国特許出願公開第２００９／００７９９３３号明細書に開陳される解決策は、実施するのが複雑であり、及び／又は、サイズが大きくなる。
【発明の概要】
【発明が解決しようとする課題】
【０００５】
本発明は、上記の問題点のすべて又はいくつかを解決することを目的とする。
【課題を解決するための手段】
【０００６】
この目的のため、本発明の主題は、
−  鼻当てとして知られる２つの鼻支持要素と、
−  各鼻当てごとに、鼻当て保持器として知られる前記鼻当て用の装着要素であって、前記フレームに結合するためのアームを含む装着要素と、
を含むめがねフレーム用の鼻支持部アセンブリであって、
各鼻当て及び対応する鼻当て保持器は、相互に結合するための結合手段を有し、その結合手段は、鼻当てが鼻当て保持器に対して角度的に動き得るように設計され、
さらに、鼻当て及び鼻当て保持器の間のその結合手段は、オス型要素と、オス型要素を受け入れるための収納部を形成するメス型要素とを含み、
前記オス型要素及び受け入れ収納部の一方が鼻当てによって担持され、もう一方が鼻当て保持器によって担持され、
そのオス型要素には、Ｚ軸として知られる軸に基本的に沿って延びるストッパ手段であって、そのＺ軸として知られる軸は、Ｘ軸として知られる軸にほぼ直角であり、そのＸ軸として知られる軸は、鼻当ての鼻支持面に対する法線に平行であると共に、Ｙ軸として知られる軸に直角であり、そのＹ軸として知られる軸は、主軸であって鼻当て保持器のアームがそれに沿って延びる主軸に平行である、ストッパ手段が設けられる、鼻支持部アセンブリである。
【０００７】
めがねフレーム用のこのような鼻当て及び鼻当て保持器のアセンブリは、装着者、特に種々の鼻の形状を有する装着者、さらに特に平坦な鼻の装着者に、快適な鼻の支持の感触を提供する。
【０００８】
鼻当ての上記のような可動性によって、特に鼻当ての領域におけるフレームの位置決めを、装着者の鼻の形状、例えば、特にアフリカ系カリブ海住人又はアジア系の装着者の平坦な鼻の形状に正しく適合させることができる。
【０００９】
このような鼻支持部アセンブリの設計によって、鼻当てを装着者の鼻の自然な非対称性に適合させることも可能になる。
【００１０】
この鼻当ての可動性は、極力正確な調整が必要になる多重焦点レンズのめがねの場合にも有利である。この調整は、先行技術よりもさらに高信頼度の精密さの条件の下で、この鼻当てを使用することによって可能になる。
【００１１】
前記オス型要素のストッパ手段を主にＺ軸に沿って配置することによって、鼻当て／鼻当て保持器アセンブリの限定されたサイズを維持することが可能になる。
【００１２】
本発明の有利な一特徴によれば、ボールとして知られる前記オス型要素が、好ましくは少なくとも部分的に球形の全体形状を有する弯曲表面を備えている。
【００１３】
本発明の有利な一特徴によれば、前記オス型要素に設けられる前記ストッパ手段が複数の別個の部品から形成され、前記複数の別個の部品は、前記部品の組を包摂する想像上の包絡面が主に前記Ｚ軸に沿って延びるように分配される。
【００１４】
本発明の有利な一特徴によれば、前記オス型要素のストッパ手段が、鼻当て保持器に対する鼻当てのＺ軸の回りの角度的な動きを、好ましくは約４５°の動きの範囲内に制限するように設計される。
【００１５】
本発明の有利な一特徴によれば、前記オス型要素のストッパ手段が、さらに、鼻当て保持器に対する鼻当てのＹ軸の回りの角度的な動きを、好ましくは約４５°の動きの範囲内に制限するように設計される。
【００１６】
本発明の有利な一特徴によれば、前記オス型要素のストッパ手段が、さらに、鼻当て保持器に対する鼻当てのＸ軸の回りの角度的な動きを、好ましくは約１５°の動きの範囲内に制限するように設計される。
【００１７】
本発明の有利な一特徴によれば、前記オス型要素のストッパ手段が、鼻当て保持器に対する鼻当てのＸ軸の回りの角度的な動きを防止するように設計される。
【００１８】
本発明の有利な一特徴によれば、前記オス型要素のストッパ手段が、前記オス型要素のどちらかの側において、直径より長い、又は、前記オス型要素のＺ軸に沿うサイズより長い長さを有する。
【００１９】
本発明の有利な一特徴によれば、前記オス型要素のストッパ手段が、主にＺ軸に沿って延びる２つの両側の面であって、両側のストッパ面を形成する２つの両側の面を有し、この両側のストッパ面の一方は、鼻当て保持器に対する鼻当てのＺ軸の回りの一方の方向の相対的動きを制限し、もう一方のストッパ面は、鼻当て保持器に対する鼻当てのＺ軸の回りのもう一方の方向の相対的動きを制限する。
【００２０】
本発明の有利な一特徴によれば、前記ボールのストッパ手段が、扇形筒体の全体的形状を有する部分を含み、その扇形筒体部分は、前記結合ボールが内接する球のほぼ中心を通る軸を有すると共に、前記結合ボールから突き出ている。
【００２１】
本発明の有利な一特徴によれば、前記オス型要素が鼻当て保持器に設けられ、受け入れ収納部は鼻当てに設けられる。
【００２２】
本発明の有利な一特徴によれば、受け入れ収納部が、鼻支持面の反対側の鼻当ての面に設けられると共に、鼻当て保持器のアームの一部分を挿入するための、Ｙ軸にほぼ平行な軸を有する溝を備えている。
【００２３】
本発明の有利な一特徴によれば、受け入れ収納部が、鼻支持面の反対側の鼻当ての面に設けられると共に、受け入れ収納部の浮き彫り形態の部分が、前記オス型要素のストッパ手段に補完的なストッパを形成できるように、Ｚ軸にほぼ平行な軸を有する溝を備えている。
【００２４】
本発明の有利な一特徴によれば、鼻当てが、鼻当ての鼻支持面と反対側の、背面として知られる面の側に、鼻当ての背面と共に前記受け入れ収納部を画定するアーチの形態の部分を有し、
かつ、前記オス型要素のストッパ手段を、鼻当て保持器に対する鼻当てのＹ軸の回りの相対的な動きの間にガイドできるように、Ｚ軸にほぼ平行な方向において前記アーチの一部分内に溝が設けられ、その溝は、前記オス型要素のストッパ手段より長い長さを有する。
【００２５】
本発明の有利な一特徴によれば、各鼻当てが、嵌め込み部分として知られる部分であって、前記オス型要素を受け入れ収納部の中に圧力嵌めするための、ポリカーボネートのような弾性変形可能な材料からなる部分と、
鼻支持部として知られる部分であり、装着者の鼻の片面に載るように想定される部分であって、前記嵌め込み部分より低い硬度の材料からなる部分とを含む。
【００２６】
本発明の有利な一特徴によれば、各鼻当ての鼻支持面が直線の上部部分と、その直線部分を延長する弯曲した下部部分とを含む。
【００２７】
本発明は、さらに、２つのレンズ位置と、その２つのレンズ位置を結合するフレームの鼻部品とを含む正面を有するめがねフレームであり、鼻当てとして知られる２つの鼻支持要素と、各鼻当てごとに、フレームの鼻部品に固定される鼻当て用の装着要素とを有する鼻支持部アセンブリをもさらに備えためがねフレームであって、この鼻支持部アセンブリは前記のとおりのものであることを特徴とするめがねフレームに関する。
【００２８】
前記の結合手段は、各鼻当てが、フレームの正面に垂直な軸と、［１°；４５°］の範囲内に変動し得る広がり角度を形成できるように設計するのが有利である。
【００２９】
前記の結合手段は、各鼻当てが、フレームの垂直な対称軸と、［１０°；５０°］の範囲内に変動し得る正面角度を形成できるように設計するのが有利である。
【００３０】
本発明は、添付の図面を参照して記述される例示的な実施形態に関する以下の説明を読むことによって明確に理解されるであろう。
【図面の簡単な説明】
【００３１】
【図１】本発明の第１実施形態による鼻当て及び鼻当て保持器のアセンブリを備えためがねフレームの斜視図である。
【図２】図１のフレームの参照領域ＩＩの詳細図である。
【図３】図１のフレームの鼻当て保持器の斜視図である。
【図４】図１のフレームの鼻当ての斜視図である。
【図５】本発明の一変形実施形態による鼻当て保持器の斜視図である。
【図６】本発明の別の変形実施形態による鼻当て保持器の斜視図である。
【図７】本発明のさらに別の変形実施形態による鼻当て保持器の斜視図である。
【図８】図２と同様の、鼻当て及び鼻当て保持器のアセンブリを組み合わせた状態の斜視図である。
【図９】図８のアセンブリの鼻当ての斜視図である。
【図１０】図８のアセンブリの鼻当て保持器の斜視図である。
【図１１】本発明の別の変形実施形態による、鼻当て及び鼻当て保持器のアセンブリを組み合わせた状態の斜視図である。
【図１２】図１１の実施形態の鼻当ての斜視図である。
【図１３】図１１の実施形態の鼻当て保持器の斜視図である。
【図１４】本発明のさらに別の実施形態による、鼻当て及び鼻当て保持器のアセンブリを組み合わせた状態の斜視図である。
【図１５】図１４の実施形態の鼻当ての斜視図である。
【図１６】図１４の実施形態の鼻当て保持器の斜視図である。
【発明を実施するための形態】
【００３２】
図を参照し、前記を想起すると、本発明は、めがねフレーム７用の鼻支持部アセンブリと、対応するフレームとに関する。
【００３３】
この鼻支持部アセンブリは、鼻当てとして知られる２つの鼻支持要素３と、各鼻当てごとに、鼻当て保持器２として知られる前記鼻当て用の装着要素２とを含む。
【００３４】
念のため、めがねフレーム７は、２つのレンズ位置７１を有する正面とテンプル７２とを含み、そのテンプル７２は、装着者の頭部のこめかみの領域内にめがね７を保持するように、前記正面に結合されて、耳又はこめかみの上に載る。
【００３５】
レンズ位置は、補正又は非補正のレンズをフレームの中にはめ込むように想定される位置に合致する。従って、このレンズ位置は、全縁付き又は半縁付きフレームの場合にはフレームの縁又は半縁によって、縁なしフレームの場合にはプレゼンテーションレンズによって画定することができる。
【００３６】
前記のフレーム７の正面は、さらに、２つのレンズ位置７１を結合するフレームの鼻部品７０を含む。フレームの鼻部品７０には、装着者の鼻の上へのフレームの安定性を確保するために、装着者の鼻の両側面に載るように想定される２つの鼻当て３を含む鼻支持部アセンブリが設けられる。この鼻当て３のそれぞれは、鼻当て保持器２によって、前記鼻当て保持器２のアーム２０の一端において、フレームの鼻部品７０に取り付けられる。
【００３７】
フレームは種々のタイプのものとすることができる。図示の例においては、フレーム７は全縁付きフレームである。この場合は、以下に詳しく述べるように、レンズ位置は、フレームの鼻部品７０によって一緒に結合される２つの縁７０によって画定される。代わりの方式として、フレームを半縁付きとすることができる。
【００３８】
フレームは縁なしとすることもできる。縁なしフレームの場合は、鼻当て保持器は、中央ブリッジとして知られる要素であって、レンズを一緒に結合するフレームの鼻部品を形成する要素に固定される。縁なしフレームには、初期設定として、装着者に適合したレンズの位置を実現するプレゼンテーションレンズが装備される。
【００３９】
換言すれば、フレームの鼻部品は、フレームの縁の正面部分と、縁を一緒に結合する部分とによって、あるいは、フレームレンズに直接固定される中央ブリッジによって形成することができる。
【００４０】
２つの縁、あるいは縁なしフレームの場合はレンズと、２つの縁又は２つのレンズを結合するフレームの鼻部品とがフレームの正面を規定する。
【００４１】
めがねフレームは、フレーム７のテンプル７２と、鼻当て３とによって装着者の顔に装着される。
【００４２】
図示の例においては、各鼻当て３及び関連する鼻当て保持器２は、相互結合するための結合手段１を有する。この結合手段は、鼻当て３が、鼻当て保持器２に対して１つ以上の角度的な動きをなし得るように設計される。
【００４３】
換言すれば、各鼻当て及び関連する鼻当て保持器の間の結合は、各鼻当てが少なくとも１つの軸の回りに回転できるようにする結合である。いくつかの実施形態によれば、この結合手段は、鼻当て及びその鼻当て保持器の間のボールジョイント結合を形成する。
【００４４】
以下において、Ｘ、Ｙ及びＺ軸を次のように定義する。Ｙ軸は、その端部がフレームに結合される鼻当て保持器のアームの軸に略合致する。アームが違った方位に延びる部分を有する場合には、Ｙ軸は、主にフレームの垂直な対称軸に平行に延びるアームの部分の軸として定義される。この垂直な対称軸は、フレームの正面の平面内に含まれるフレームの対称軸にも合致する。この対称軸はレンズ位置の間を通過する。
【００４５】
Ｘ軸は、鼻当ての鼻支持面３０２に対する法線に平行な軸であり、鼻当て３の幾何学的な中心を通過する。鼻支持面３０２は、背面３０４として知られる鼻当ての面の反対側の面であり、その背面の側に、鼻当て及び鼻当て保持器を結合する前記結合手段１が配置される。Ｚ軸は、Ｙ軸及びＸ軸に直角な軸に合致する。
【００４６】
装着者の鼻は２つの角度により特徴づけられており、それぞれ、正面角度及び広がり角度として知られている。頭を真直ぐにしている装着者の場合、正面角度は、顔の正面から見た場合の垂直線と装着者の鼻の片側の面との間の角度であり、広がり角度は、上から見た場合の水平線と装着者の鼻の片側の面との間の角度である。
【００４７】
フレームを装着者の形態に適正に適合させるためには、これらの角度をフレーム上において見出さなければならない。
【００４８】
すなわち、フレームを正面から見ると、フレームは、一方の鼻当てに接する平面と、フレームの正面の対称軸Ｓとの間に規定される正面角度Ａを有する（図２）。この接平面は、装着者の鼻に載るように想定される鼻当ての領域において描くことが望ましい。フレーム７の垂直の対称軸Ｓは、フレームの正面の平面内に含まれるフレームの対称軸に合致する。この軸はレンズ位置の間を通っている。フレームを正面から見た場合、装着者が頭を真直ぐにしていると、正面角度Ａは、鼻当て３の平均平面と、フレームの正面の中央を通る垂直線との間の角度であると定義することも可能である。
【００４９】
フレームを上から見ると、フレームは、一方の前記鼻支持要素に接する平面と、めがねフレームの正面の平均平面に対する垂線Ｐとの間に規定される広がり角度Ｂを有する（図２参照）。
【００５０】
各鼻当て３の可動性によって、本発明による鼻支持部アセンブリの鼻当ての前記正面角度Ａが［１０°；５０°］の範囲内で変化し得ることが有利である。同様に、本発明による鼻支持部アセンブリの鼻当ての前記広がり角度Ｂは［１°；４５°］の範囲内で変化できる。
換言すると、オス型要素のストッパ手段１０が、鼻当て保持器２に対する鼻当て３のＺ軸の回りの角度的な動きを、好ましくは約４５°の動きの範囲内に制限するように設計される。
オス型要素のストッパ手段１０が、さらに、鼻当て保持器２に対する鼻当て３のＹ軸の回りの角度的な動きを、好ましくは約４５°の動きの範囲内に制限するように設計される。
オス型要素のストッパ手段１０が、さらに、鼻当て保持器２に対する鼻当て３のＸ軸の回りの角度的な動きを、好ましくは約１５°の動きの範囲内に制限するように設計される。
【００５１】
装着者の鼻の形状に応じて、鼻当てによって形成される正面角度と、さらに広がり角度とは、それぞれ、もう一方の鼻当てが形成する正面角度又は広がり角度と異なることができる。
【００５２】
各鼻当て３が対応する鼻当て保持器２に対して角度的に可動であることによって、各鼻当て３の領域におけるフレームの正面角度Ａ及び広がり角度Ｂが、それぞれ、装着者の鼻の対応する側の正面角度及び広がり角度にそれぞれ適合する方位を取ることができるようになる。換言すれば、鼻当ての可動性によって、各鼻当てに関わる正面角度Ａ及び広がり角度Ｂの修正が可能になり、それによって、装着者がそのようなフレームを装着した場合に、各鼻当てが、装着者の鼻の対応する正面角度及び広がり角度と自動的に同じ方位を向くことが可能になる。
【００５３】
図示の例においては、各鼻当てとその鼻当て保持器とを結合する前記結合手段１は、鼻当て保持器２に設けられるオス型の部分２１と、鼻当て３に設けられるメス型の部分３０とを含む。
【００５４】
各鼻当ては、ポリカーボネートのような弾性変形可能な材料から作製され、それによって、鼻当て３を鼻当て保持器２に結合するために、結合手段のオス型の部分２１をメス型の部分３０の中に圧力嵌めすることが可能になる。
【００５５】
本発明の一実施形態によれば、各鼻当ては２つの材料から作製される。特に、各鼻当ての嵌め込み部分として知られる部分であって、鼻当てを鼻当て保持器に結合するために、結合手段のオス型の部分をメス型の部分の中に圧力嵌めできるようにする部分は、ポリカーボネートのような弾性変形可能な材料から作製され、鼻支持部分として知られる鼻当てのもう一方の部分は、装着者の鼻の片側の面に柔軟な態様で載るために、嵌め込み部分より低い硬度の材料から作製される。
【００５６】
図示の例においては、鼻当て保持器２の前記オス型の部分２１は、結合ボールとして知られる少なくとも部分的に球形の全体形状を有する表面を備えている。このボールは、中実固形のもの、中を刳り抜かれたもの、あるいは、針状体のような複数の別個の要素から形成されたものとすることができる。
【００５７】
ボール２１は、アーム２０の端部に配置され、アーム２０のもう一方の端部は、フレームの鼻部品及び／又はもう一方の鼻当て保持器のアーム２０に、例えば溶接によって固定される。このボール２１にはストッパ手段１０が設けられるが、このストッパ手段１０は、基本的にＸ軸及びＹ軸に対してほぼ直角であるＺ軸として知られる軸に沿って延びている。もちろん、このストッパ手段１０は、ボール２１を担持しない鼻当て／鼻当て保持器アセンブリの要素に設けられる補完的なストッパ手段３０、３４と協働作用する。
尚、オス型要素に設けられるストッパ手段１０が複数の別個の部品から形成され、複数の別個の部品は、部品の組を包摂する想像上の包絡面が主にＺ軸に沿って延びるように分配されてもよい。
【００５８】
図４及び１４の例にさらに具体的に示されるように、前記結合手段１のメス型部分３０は、鼻当て３の鼻支持面と反対側の面３０４に設けられる浮き彫り形態の部分を含む。この浮き彫り形態の部分は、その突起領域３４、３０によって、前記結合ボールが担持するストッパ手段１０の反対のボールの側に、結合ボール２１用の受け入れ収納部３２を画定する。
【００５９】
受け入れ収納部３２は、鼻当て保持器２のアーム２０の一部分を差し込むための、Ｙ軸にほぼ平行な軸を有する溝３５を備えている。この溝３５は、鼻当て３の背面の２つの突起領域３４の間に画定されて、鼻当て保持器２のアーム２０の一部分の差し込みを可能にする。溝３５を確定する領域３４、及び／又は、前記ストッパ手段１０の縦方向の両側の面は、以下に詳しく説明するように、鼻当て３がＸ軸の回りに回転するのを制限又は防止するストッパ手段を形成する。
【００６０】
受け入れ収納部３２は、さらに、ボール２１の前記ストッパ手段１０を通すための、Ｚ軸にほぼ平行な軸を有する溝３６を備えている。受け入れ収納部３２の浮き彫り形態の部分３４、３０は、溝３６のどちらかの側に延びており、ボール２１の前記ストッパ手段１０に対する補完的なストッパを形成する。特に、前記の溝３６は、浮き彫り形態の部分３４、３０の間に画定される。
【００６１】
図１４の特殊な場合には、アーム２０が、Ｚ軸に沿って延伸している要素であってボール２１の前記ストッパ手段１０を形成する要素に直接結合されていることに気付くであろう。このアーム２０には、フレームに取り付けるための手段２００であって、フレーム上に設けられる補完手段（図示なし）と協働するように想定される手段２００も設けられる。さらに、図１４〜１６に示すこの実施形態においては、汗の排除に役立つように、溝３２０が鼻支持面３０２に設けられる。
【００６２】
各鼻当てとその鼻当て保持器との間に形成されるこのような結合は、各鼻当てが、装着者の鼻の対応する側の正面角度及び広がり角度に最適に適合する位置を取ることを可能にするという利点を有する。ボール２１のストッパ手段１０はオス型の割り出し要素を形成し、一方、受け入れ収納部３２は、鼻当てを鼻当て保持器に対して位置決めするためのメス型の割り出し要素を形成する。この結合によって確定される角度的な動きは、以下に詳述するように、ストッパ手段１０によって制限される。
【００６３】
図１〜１０に示す例においては、前記のストッパ手段１０は、Ｚ軸にほぼ平行な軸であって、ボール２１に対応する球の中心を通る軸を有する扇形筒体の全体的形状を有する部分を含む。この円筒形部分は前記のボールから突き出ている。この扇形筒体部分の軸は、結合ボール２１に取り付けられるアーム２０の一部分の方向にほぼ直角である。特に、この扇形筒体部分は、ボールのどちらかの側において軸方向に延びている。
【００６４】
ストッパ手段１０の２つの縦方向の面１１、すなわち、扇形筒体部分の軸に平行な２つの面は、鼻当て３によって確定されるＺ軸の回りの動きの振幅を規定するように互いに対して傾斜している。ボール２１のどちらかの側に配置される前記扇形筒体部分の両側の端部部分１２は、鼻当て３のＹ軸の回りの角度的な動きを制限する手段を形成する。
【００６５】
図２にさらに具体的に示されるように、各鼻当て３の鼻支持面は、上部の直線的な部分３００と、その直線的な部分の延長である下部の弯曲した部分３０１とを含む。「下部」及び「上部」という概念は、装着者がめがねを装着した時のめがねのフレームの状態に関して定義される。換言すれば、鼻当ての上部部分は、鼻当ての下部部分より、フレームに固定するように想定される鼻当て保持器のアームの端部に近接している。すなわち、直線的な部分及び弯曲した部分は、直線的な部分が、弯曲した部分よりもフレームの鼻部品に一層近接して延びるような方位に向けられる。
【００６６】
鼻当てを、直線的な部分に弯曲した部分を延長する形に設計することによって、鼻当てが載るように想定される鼻の領域の弯曲度に適切に追随することが可能になる。さらに、鼻当ての鼻支持面を凸形状にすることによって、鼻当てが装着者の鼻の両側に跡を付けることを防ぐことができる。
【００６７】
鼻当て保持器のアーム２０は種々の形状を有することができる。具体的には、そのアームは、図５に示すようにＵ字形に曲げられる部分を含むことができ、あるいは、図６に示すように二重ループを有する部分を含むことができる。さらに、２つの鼻当て保持器のアーム２０を一緒に結合すること、あるいは、図７に示すように単一片から成形することも可能である。さらに一般的には、２つの鼻当て保持器が共通部分を含むようにすることができる。
【００６８】
図１１〜１３に示す実施形態によれば、鼻当て３が、鼻支持面３０２の反対側に、結合ボール２１を差し込むための収納部を画定するアーチ４０形状の部分を有する。このアーチ４０は、Ｚ軸に沿って見た鼻当て３の両側に配置される両側の脚部を有し、従って、鼻当て保持器２用の導入通路３５を画定する。この通路３５の軸はＹ軸にほぼ平行である。
【００６９】
アーチ４０の一部分に沿って、好ましくは、アーチ４０の頂点の回りを中心とする領域内に貫通溝４３が、ボール２１が担持するストッパ手段１０をガイドできるようにするように設けられる。貫通溝４３は、アーチの通路３５の軸にほぼ直角な方向に、すなわち、ほぼＺ軸に沿って延びている。
【００７０】
すなわち、アーチは、鼻当ての背面３０４の側において鼻当ての一方の端部からもう一方の端部に延びており、それによって、結合ボールを取り囲み、従って鼻当て保持器が偶然的に脱着するリスクを制限することが可能になる。
【００７１】
貫通溝４３は、ストッパ１０が、溝４３の内側で相対的に動くことができるように、従って、Ｙ軸の回りの回動することによって鼻当て及び鼻当て保持器の相対的な可動性を可能にするように、前記ボールのストッパ手段１０より長い長さを有する。
【００７２】
鼻当て３のアーチ４０の貫通溝４３と、ボール２１のストッパ１０とは、鼻当てに関わる正面角度が４０°の範囲にわたって変化し得るように、かつ、鼻当てに関わる広がり角度が４５°の範囲にわたって変化し得るように設計される。
【００７３】
図１１〜１３に示す例においては、アーチが画定する通路３５は貫通通路である。代わりの方式として、アーチ４０の２つの脚４１、４２の間に画定される開口を、鼻当て保持器２のボール２１の導入開口と反対側において、めくら孔の方式で閉止することも可能である。
【００７４】
図示の例においては、前記ボール２１のストッパ手段１０は、また、鼻当て保持器２に対する鼻当て３のＸ軸の回りの角度的な動きを制限する機能も有する。代わりの方式として、前記ストッパ１０又は他のストッパ手段が、鼻当て３及び鼻当て保持器２の間のＸ軸の回りの相対的な動きを防止することも可能である。
【００７５】
本発明は、本明細書に提示した実施形態に限定されない。当業者は、本発明の範囲から逸脱することなく、本明細書に提示した実施形態に変更を加えることができるであろう。
【図１】
0006363696.tif 000002
【図２】
0006363696.tif 000003
【図３】
0006363696.tif 000004
【図４】
0006363696.tif 000005
【図５】
0006363696.tif 000006
【図６】
0006363696.tif 000007
【図７】
0006363696.tif 000008
【図８】
0006363696.tif 000009
【図９】
0006363696.tif 000010
【図１０】
0006363696.tif 000011
【図１１】
0006363696.tif 000012
【図１２】
0006363696.tif 000013
【図１３】
0006363696.tif 000014
【図１４】
0006363696.tif 000015
【図１５】
0006363696.tif 000016
【図１６】
0006363696.tif 000017